【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
クラウド環境下における安否確認システムであって、
クラウドを構成するサーバと、
設置された施設及び前記施設内での設置箇所に係るＩＤ番号が予め前記サーバに登録され、点灯又は消灯する照明装置と、を備え、
前記照明装置の前記点灯又は消灯を監視し、前記監視した照明装置のＩＤ番号に係る問い合わせを前記サーバに行い、
前記サーバが、前記ＩＤ番号に基づき、予め定められた条件に応じて、前記照明装置の点灯又は消灯に係る情報を見守り対象者の安否情報として見守り者の外部端末に通報することを特徴とする安否確認システム。
【請求項２】
クラウド環境下における安否確認システムであって、
クラウドを構成するサーバと、
設置された施設及び前記施設内での設置箇所に係るＩＤ番号が予め前記サーバに登録され、点灯又は消灯に応じて電波を発信する照明装置と、
前記照明装置からの前記電波を受信し、前記ＩＤ番号に係る問い合わせを前記サーバに行う受信機と、を備え、
前記サーバが、前記受信機からの前記ＩＤ番号に基づき、予め定められた条件に応じて、前記照明装置の点灯又は消灯に係る情報を見守り対象者の安否情報として見守り者の外部端末に通報することを特徴とする安否確認システム。
【請求項３】
前記ＩＤ番号が、前記照明装置を単位として一意的に割り振られる出荷ＩＤ番号、前記施設を単位として割り振られる施設ＩＤ番号、及び前記出荷ＩＤ番号に紐付けられ、かつ、前記施設ＩＤ番号ごとに前記設置箇所を単位として割り振られる内部管理ＩＤ番号を含むことを特徴とする請求項１又は請求項２に記載の安否確認システム。
【請求項４】
前記照明装置が、前記設置箇所が存する前記施設の住所、前記設置箇所の緯度経度、及び前記施設が複数階から構成される場合は前記設置箇所の階数と紐付けられて管理されていることを特徴とする請求項１から請求項３のいずれか１項に記載の安否確認システム。
【請求項５】
前記照明装置が前記施設内に複数個設置されていることを特徴とする請求項１から４のいずれか１項に記載の安否確認システム。
【請求項６】
前記サーバが、前記ＩＤ番号に基づき監視する、該当の前記照明装置の、継続点灯時間、継続消灯時間、継続点灯時間帯、継続消灯時間帯の少なくとも一つに応じて前記外部端末に前記安否情報を送信することを特徴とする請求項１又は請求項２に記載の安否確認システム。
【請求項７】
クラウド環境下における安否確認システムと接続された受信機であって、
点灯又は消灯に応じて電波を発信する照明装置から発信される電波を受信し、前記クラウドを構成するサーバに、前記受信した電波に含まれる前記照明装置のＩＤ番号に基づく問い合わせを行う制御部を備え、
前記サーバが、前記受信機からの前記ＩＤ番号に基づき、予め定められた条件に応じて、前記照明装置の点灯又は消灯に係る情報を見守り対象者の安否情報として見守り者の外部端末に通報するために、前記ＩＤ番号が、前記照明装置を単位として一意的に割り振られる出荷ＩＤ番号、施設を単位として割り振られる施設ＩＤ番号、及び前記出荷ＩＤ番号に紐付けられ、かつ、前記施設ＩＤ番号ごとに前記施設における設置箇所を単位として割り振られる内部管理ＩＤ番号を含むことを特徴とする受信機。
【請求項８】
照明装置を含む、クラウド環境下における安否確認方法であって、
前記照明装置が設置された施設、及び前記施設内での設置箇所に係るＩＤ番号がクラウドを構成するサーバに登録されており、前記照明装置の点灯又は消灯を監視し、前記監視した照明装置のＩＤ番号に基づく問い合わせを前記クラウドに行なうステップと、
前記サーバが、前記ＩＤ番号に基づき、予め定められた条件に応じて、前記照明装置の点灯又は消灯に係る情報を見守り対象者の安否情報として見守り者の外部端末に通報するステップと、
を有することを特徴とする安否確認方法。
【請求項９】
照明装置と、受信機とを含む、クラウド環境下における安否確認方法であって、
前記照明装置が設置された施設、及び前記施設内での設置箇所に係るＩＤ番号がクラウドを構成するサーバに登録されており、前記照明装置が、点灯又は消灯に応じて電波を発信するステップと、
前記受信機が、前記照明装置から発信される前記電波を受信し、受信した前記ＩＤ番号に基づく問い合わせを前記クラウドに行なうステップと、
前記サーバが、前記受信機からの前記ＩＤ番号に基づき、予め定められた条件に応じて、前記照明装置の点灯又は消灯に係る情報を見守り対象者の安否情報として見守り者の外部端末に通報するステップと、
を有することを特徴とする安否確認方法。
【請求項１０】
クラウド環境下における安否確認システムに接続される受信機のコンピュータに、
点灯又は消灯に応じて電波を発信する照明装置から発信される電波を受信する処理と、
クラウドを構成するサーバに、前記受信した電波に含まれる前記照明装置のＩＤ番号に基づく問い合わせを行う処理と、を実行させ、
前記サーバが、前記受信機からの前記ＩＤ番号に基づき、予め定められた条件に応じて、前記照明装置の点灯又は消灯に係る情報を見守り対象者の安否情報として見守り者の外部端末に通報するために、前記ＩＤ番号が、前記照明装置を単位として一意的に割り振られる出荷ＩＤ番号、電子タグ発信装置が設置される施設を単位として割り振られる施設ＩＤ番号、及び前記出荷ＩＤ番号に紐付けられ、かつ、前記施設ＩＤ番号ごとに前記施設における設置箇所を単位として割り振られる内部管理ＩＤ番号を含むことを特徴とするプログラム。
【手続補正２】
【補正対象書類名】明細書
【補正対象項目名】０００７
【補正方法】変更
【補正の内容】
【０００７】
（１）本発明の第１の観点に係る安否確認システムは、クラウド環境下における安否確認システムであって、クラウドを構成するサーバと、設置された施設及び前記施設内での設置箇所に係るＩＤ番号が予め前記サーバに登録され、点灯又は消灯する照明装置と、を備え、前記照明装置の前記点灯又は消灯を監視し、前記監視した照明装置のＩＤ番号に係る問い合わせを前記サーバに行い、前記サーバが、前記位置ＩＤ番号に基づき、予め定められた条件に応じて、前記照明装置の点灯又は消灯に係る情報を見守り対象者の安否情報として見守り者の外部端末に通報することを特徴とする。
（１）本発明の第１の観点に係る安否確認システムは、クラウド環境下における安確認システムであって、クラウドを構成するサーバと、設置された施設及び前記施設内での設置箇所に係るＩＤ番号が予め前記サーバに登録され、点灯又は消灯に応じて電波を発信する照明装置と、前記照明装置からの前記電波を受信し、前記ＩＤ番号に係る問い合わせを前記サーバに行う受信機と、を備え、前記サーバが、前記受信機からの前記ＩＤ番号に基づき、予め定められた条件に応じて、前記照明装置の点灯又は消灯に係る情報を見守り対象者の安否情報として見守り者の外部端末に通報することを特徴とする。
【手続補正３】
【補正対象書類名】明細書
【補正対象項目名】０００８
【補正方法】変更
【補正の内容】
【０００８】
（２）本発明の安否確認システムは、（１）に記載の安否確認システムであって、前記ＩＤ番号が、前記照明装置を単位として一意的に割り振られる出荷ＩＤ番号、前記施設を単位として割り振られる施設ＩＤ番号、及び前記出荷ＩＤ番号に紐付けられ、かつ、前記施設ＩＤ番号ごとに前記設置箇所を単位として割り振られる内部管理ＩＤ番号を含んでもよい。
【手続補正４】
【補正対象書類名】明細書
【補正対象項目名】００１１
【補正方法】変更
【補正の内容】
【００１１】
（５）本発明の安否確認システムは、（１）に記載の安否確認システムであって、前記サーバが、前記受信機からの前記ＩＤ番号に基づき監視する、該当の前記照明装置の、継続点灯時間、継続消灯時間、継続点灯時間帯、継続消灯時間帯の少なくとも一つに応じて前記外部端末に前記安否情報を送信してもよい。
【手続補正５】
【補正対象書類名】明細書
【補正対象項目名】００１２
【補正方法】変更
【補正の内容】
【００１２】
（６）本発明の第２の観点に係る受信機は、クラウド環境下における安否確認システムと接続された受信機であって、点灯又は消灯に応じて電波を発信する照明装置から発信される電波を受信し、クラウドを構成するサーバに、前記受信した電波に含まれる前記照明装置のＩＤ番号に基づく問い合わせを行う制御部を備え、前記サーバが、前記受信機からの前記ＩＤ番号に基づき、予め定められた条件に応じて、前記照明装置の点灯又は消灯に係る情報を見守り対象者の安否情報として見守り者の外部端末に通報するために、前記ＩＤ番号が、前記照明装置を単位として一意的に割り振られる出荷ＩＤ番号、施設を単位として割り振られる施設ＩＤ番号、及び前記出荷ＩＤ番号に紐付けられ、かつ、前記施設ＩＤ番号ごとに前記施設における設置箇所を単位として割り振られる内部管理ＩＤ番号を含むことを特徴とする。
【手続補正６】
【補正対象書類名】明細書
【補正対象項目名】００１３
【補正方法】変更
【補正の内容】
【００１３】
（７）本発明の第３の観点に係る安否確認方法は、照明装置を含む、クラウド環境下における安否確認方法であって、前記照明装置が設置された施設、及び前記施設内での設置箇所に係るＩＤ番号がクラウドを構成するサーバに登録されており、前記照明装置の点灯又は消灯を監視し、前記監視した照明装置のＩＤ番号に基づく問い合わせを前記クラウドに行なうステップと、前記サーバが、前記ＩＤ番号に基づき、予め定められた条件に応じて、前記照明装置の点灯又は消灯に係る情報を見守り対象者の安否情報として見守り者の外部端末に通報するステップと、
を有することを特徴とする。
（７）本発明の第３の観点に係る安否確認方法は、照明装置と、受信機とを含む、クラウド環境下における安否確認方法であって、前記照明装置が設置された施設、及び前記施設内での設置箇所に係るＩＤ番号がクラウドを構成するサーバに登録されており、前記照明装置が、点灯又は消灯に応じて電波を発信するステップと、前記受信機が、前記照明装置から発信される前記電波を受信し、受信した前記ＩＤ番号に基づく問い合わせを前記クラウドに行なうステップと、前記サーバが、前記受信機からの前記ＩＤ番号に基づき、予め定められた条件に応じて前記照明装置の点灯又は消灯に係る情報を見守り対象者の安否情報として見守り者の外部端末に通報するステップと、を有することを特徴とする。
【手続補正７】
【補正対象書類名】明細書
【補正対象項目名】００１４
【補正方法】変更
【補正の内容】
【００１４】
（８）本発明の第４の観点に係るプログラムは、クラウド環境下における安否確認システムに接続される受信機のコンピュータに、点灯又は消灯に応じて電波を発信する照明装置から発信される電波を受信する処理と、クラウドを構成するサーバに、前記受信した電波に含まれる前記照明装置のＩＤ番号に基づく問い合わせを行う処理と、を実行させ、前記サーバが、前記受信機からの前記ＩＤ番号に基づき、予め定められた条件に応じて、前記照明装置の点灯又は消灯に係る情報を見守り対象者の安否情報として見守り者の外部端末に通報するために、前記ＩＤ番号が、前記照明装置を単位として一意的に割り振られる出荷ＩＤ番号、前記電子タグ発信装置が設置される施設を単位として割り振られる施設ＩＤ番号、及び前記出荷ＩＤ番号に紐付けられ、かつ、前記施設ＩＤ番号ごとに前記施設における設置箇所を単位として割り振られる内部管理ＩＤ番号を含むことを特徴とする。